【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
一対の電極と、前記一対の電極の間に配置されているエレクトロクロミック層を有するエレクトロクロミック素子であって、
前記エレクトロクロミック層は、２種以上のアノードエレクトロクロミック材料を含み、
前記アノードエレクトロクロミック材料同士のすべては、分子長が等しいまたは分子長の比（分子長大／分子長小）が１．４以下であることを特徴とするエレクトロクロミック素子。
【請求項２】
前記アノードエレクトロクロミック材料同士のすべては、分子長が等しいまたは分子長の比（分子長大／分子長小）が１．２以下であることを特徴とする請求項１に記載のエレクトロクロミック素子。
【請求項３】
前記アノードエレクトロクロミック材料同士の酸化電位の差の絶対値が全て６０ｍＶ以下であることを特徴とする請求項１または２に記載のエレクトロクロミック素子。
【請求項４】
前記アノードエレクトロクロミック材料同士の酸化電位の差の絶対値が全て２０ｍＶ以下であることを特徴とする請求項１乃至３のいずれか一項に記載のエレクトロクロミック素子。
【請求項５】
前記アノードエレクトロクロミック材料同士のすべては、分子長軸長と分子短軸長の積である面積が等しいまたは前記面積の比（面積大／面積小）が２．２以下であることを特徴とする請求項１乃至４のいずれか一項に記載のエレクトロクロミック素子。
【請求項６】
前記アノードエレクトロクロミック材料同士のすべては、分子長軸長と分子短軸長の積である面積が等しいまたは前記面積の比（面積大／面積小）が１．３以下であることを特徴とする請求項１乃至５のいずれか一項に記載のエレクトロクロミック素子。
【請求項７】
一対の電極と、前記一対の電極の間に配置されているエレクトロクロミック層を有するエレクトロクロミック素子であって、
前記エレクトロクロミック層は、２種以上のカソードエレクトロクロミック材料を含み、
前記カソードエレクトロクロミック材料同士のすべては、分子長が等しいまたは分子長の比（分子長大／分子長小）が１．４以下であることを特徴とするエレクトロクロミック素子。
【請求項８】
前記カソードエレクトロクロミック材料同士のすべては、分子長が等しいまたは分子長の比（分子長大／分子長小）が１．２以下であることを特徴とする請求項７に記載のエレクトロクロミック素子。
【請求項９】
前記カソードエレクトロクロミック材料同士の還元電位の差の絶対値が全て６０ｍＶ以下であることを特徴とする請求項７または８に記載のエレクトロクロミック素子。
【請求項１０】
前記カソードエレクトロクロミック材料同士の還元電位の差の絶対値が全て２０ｍＶ以下であることを特徴とする請求項７乃至９のいずれか一項に記載のエレクトロクロミック素子。
【請求項１１】
前記カソードエレクトロクロミック材料同士のすべては、分子長軸長と分子短軸長の積である面積が等しいまたは前記面積の比（面積大／面積小）が２．２以下であることを特徴とする請求項７乃至１０のいずれか一項に記載のエレクトロクロミック素子。
【請求項１２】
前記カソードエレクトロクロミック材料同士のすべては、分子長軸長と分子短軸長の積である面積が等しいまたは前記面積の比（面積大／面積小）が１．３以下であることを特徴とする請求項７乃至１１のいずれか一項に記載のエレクトロクロミック素子。
【請求項１３】
一対の電極と、前記一対の電極の間に配置されているエレクトロクロミック層を有するエレクトロクロミック素子であって、
前記エレクトロクロミック層は、２種以上のアノードエレクトロクロミック材料と２種以上のカソードエレクトロクロミック材料とを含み、
前記アノードエレクトロクロミック材料同士および前記カソードエレクトロクロミック材料同士のすべては、分子長が等しいまたは分子長の比（分子長大／分子長小）が１．４以下であり、
前記アノードエレクトロクロミック材料と前記カソードエレクトロクロミック材料同士のすべては、分子長が等しいまたは分子長の比（分子長大／分子長小）が１．４以下であることを特徴とするエレクトロクロミック素子。
【請求項１４】
前記アノードエレクトロクロミック材料同士および前記カソードエレクトロクロミック材料同士のすべては、分子長が等しいまたは分子長の比（分子長大／分子長小）が１．２以下であることを特徴とする請求項１３に記載のエレクトロクロミック素子。
【請求項１５】
前記アノードエレクトロクロミック材料同士および前記カソードエレクトロクロミック材料同士のすべては、分子長軸長と分子短軸長の積である面積が等しいまたは前記面積の比（面積大／面積小）が２．２以下であることを特徴とする請求項１３または１４に記載のエレクトロクロミック素子。
【請求項１６】
前記アノードエレクトロクロミック材料同士および前記カソードエレクトロクロミック材料同士のすべては、分子長軸長と分子短軸長の積である面積が等しいまたは前記面積の比（面積大／面積小）が１．３以下であることを特徴とする請求項１３乃至１５のいずれか一項に記載のエレクトロクロミック素子。
【請求項１７】
前記アノードエレクトロクロミック材料と前記カソードエレクトロクロミック材料同士のすべては、分子長軸長と分子短軸長の積である面積が等しいまたは前記面積の比（面積大／面積小）が２．２以下であることを特徴とする請求項１３乃至１６のいずれか一項に記載のエレクトロクロミック素子。
【請求項１８】
前記アノードエレクトロクロミック材料同士の酸化電位の差の絶対値が全て６０ｍＶ以下であることを特徴とする請求項１３乃至１７のいずれか一項に記載のエレクトロクロミック素子。
【請求項１９】
前記カソードエレクトロクロミック材料同士の還元電位の差の絶対値が全て６０ｍＶ以下であることを特徴とする請求項１３乃至１８のいずれか一項に記載のエレクトロクロミック素子。
【請求項２０】
請求項１乃至１９のいずれか一項に記載のエレクトロクロミック素子と、前記エレクトロクロミック素子を駆動する駆動手段とを有することを特徴とするエレクトロクロミック装置。
【請求項２１】
前記駆動手段は、前記エレクトロクロミック素子の透過率をパルス幅変調で制御する手段であり、パルス電圧波形の波高値を変化させずに前記エレクトロクロミック素子の透過率を維持し、前記パルス電圧波形の一周期に占める印加電圧の印加期間の割合を変えることで前記エレクトロクロミック素子の透過率を制御することを特徴とする請求項２０に記載のエレクトロクロミック装置。
【請求項２２】
請求項１乃至１９のいずれか一項に記載のエレクトロクロミック素子を有することを特徴とする光学フィルタ。
【請求項２３】
請求項２２に記載の光学フィルタと、前記光学フィルタを通過した光を受光する受光素子とを有することを特徴とする撮像装置。
【請求項２４】
請求項２２に記載の光学フィルタと、複数のレンズを有する光学系とを有することを特徴とするレンズユニット。
【請求項２５】
請求項１乃至１９のいずれか一項に記載のエレクトロクロミック素子を有することを特徴とする窓材。
【手続補正２】
【補正対象書類名】明細書
【補正対象項目名】０００９
【補正方法】変更
【補正の内容】
【０００９】
本発明のエレクトロクロミック素子は、一対の電極と、前記一対の電極の間に配置されているエレクトロクロミック層を有するエレクトロクロミック素子であって、
前記エレクトロクロミック層は、２種以上のアノードエレクトロクロミック材料を含み、
前記アノードエレクトロクロミック材料同士のすべては、分子長が等しいまたは分子長の比（分子長大／分子長小）が１．４以下であること、
前記エレクトロクロミック層は、２種以上のカソードエレクトロクロミック材料を含み、
前記カソードエレクトロクロミック材料同士のすべては、分子長が等しいまたは分子長の比（分子長大／分子長小）が１．４以下であること、
または
前記エレクトロクロミック層は、２種以上のアノードエレクトロクロミック材料と２種以上のカソードエレクトロクロミック材料とを含み、
前記アノードエレクトロクロミック材料同士および前記カソードエレクトロクロミック材料同士のすべては、分子長が等しいまたは分子長の比（分子長大／分子長小）が１．４以下であり、
前記アノードエレクトロクロミック材料と前記カソードエレクトロクロミック材料同士のすべては、分子長が等しいまたは分子長の比（分子長大／分子長小）が１．４以下であること、
を特徴とする。
【手続補正３】
【補正対象書類名】明細書
【補正対象項目名】００６９
【補正方法】変更
【補正の内容】
【００６９】
レンズユニット１０２は、複数のレンズあるいはレンズ群を有するユニットである。例えば、図６（ａ）において、レンズユニット１０２は、絞りより後でフォーカシングを行うリアフォーカス式のズームレンズを表している。被写体側（紙面向かって左側）より順に正の屈折力の第１のレンズ群１０４、負の屈折力の第２のレンズ群１０５、正の屈折力の第３のレンズ群１０６、正の屈折力の第４のレンズ群１０７の４つのレンズ群を有する。第２のレンズ群１０５と第３のレンズ群１０６の間隔を変化させて変倍を行い、第４のレンズ群１０７の一部のレンズ群を移動させてフォーカスを行う。レンズユニット１０２は、例えば、第２のレンズ群１０５と第３のレンズ群１０６の間に開口絞り１０８を有し、また、第３のレンズ群１０６と第４のレンズ群１０７の間に光学フィルタ１０１を有する。レンズユニット１０２を通過する光は、各レンズ群１０４乃至１０７、開口絞り１０８および光学フィルタ１０１を通過するよう配置されており、開口絞り１０８および光学フィルタ１０１を用いて光量の調整を行うことができる。